(57)【要約】【課題】  貨幣の補充又は回収に関わる手間を軽減する。【解決手段】  実施形態の金銭収受装置は、入金機構、出金機構、判定手段、決定手段、入力手段、有効化手段、通知手段、設定手段及び制御手段を含む。判定手段は、収納庫に収納されている収納枚数を金種毎に判定する。決定手段は、補充又は回収すべき推奨枚数を金種毎に決定する。入力手段は、操作者による操作に応じて開始指示を入力する。有効化手段は、入力手段により開始指示が入力されたことに応じて、入金機構を有効化する。通知手段は、入力手段により開始指示が入力されたことに応じて、決定手段により決定された金種毎の推奨枚数を操作者に通知する。設定手段は、操作者による操作に応じて金種毎の出金枚数を設定する。制御手段は、設定手段により設定された出金枚数が零ではない金種について、当該出金枚数を収納庫から出金するように出金機構を制御する。【選択図】      図５
2018081579.tif 000002
【特許請求の範囲】
【請求項１】
硬貨及び紙幣の少なくとも一方を金種別に収納庫に収納させる入金機構と、
前記収納庫に収納された硬貨及び紙幣の少なくとも一方を金種別に前記収納庫から出金する出金機構と、
前記収納庫に収納されている収納枚数を金種毎に判定する判定手段と、
補充又は回収すべき推奨枚数を金種毎に決定する決定手段と、
操作者による操作に応じて開始指示を入力する入力手段と、
前記入力手段により前記開始指示が入力されたことに応じて、前記入金機構を有効化する有効化手段と、
前記入力手段により前記開始指示が入力されたことに応じて、前記決定手段により決定された金種毎の推奨枚数を前記操作者に通知する通知手段と、
前記操作者による操作に応じて金種毎の出金枚数を設定する設定手段と、
前記設定手段により設定された出金枚数が零ではない金種について、当該出金枚数を前記収納庫から出金するように前記出金機構を制御する制御手段と、
を具備した金銭収受装置。
【請求項２】
前記判定手段により判定された金種毎の収納枚数が、金種毎に予め定められた回収閾値以上であるか、金種毎に予め定められた補充閾値未満である場合に、補充又は回収が必要であることを前記操作者に通報する通報手段、
をさらに具備する請求項１に記載の金銭収受装置。
【請求項３】
前記決定手段は、前記操作者により変更操作が行われた上で決定操作が行われたならば当該変更操作により変更された枚数を前記推奨枚数として決定し、前記変更操作が行われること無く前記決定操作が行われたならば予め定められた基準枚数から前記収納枚数を減じた枚数を前記推奨枚数として決定する、
請求項１又は請求項２に記載の金銭収受装置。
【請求項４】
硬貨及び紙幣の少なくとも一方を金種別に収納庫に収納させる入金機構と、
前記収納庫に収納された硬貨及び紙幣の少なくとも一方を金種別に前記収納庫から出金する出金機構と、
前記収納庫に収納されている収納枚数を金種毎に判定する判定手段と、
補充又は回収すべき推奨枚数を金種毎に決定する決定手段と、
操作者による操作に応じて開始指示を入力する入力手段と、
前記入力手段により前記開始指示が入力されたことに応じて、前記入金機構を有効化する有効化手段と、
前記入力手段により前記開始指示が入力されたことに応じて、前記決定手段により決定された金種毎の推奨枚数を前記操作者に通知する通知手段と、
前記操作者による操作に応じて金種毎の出金枚数を設定する設定手段と、
前記設定手段により設定された出金枚数が零ではない金種について、当該出金枚数を前記収納庫から出金するように前記出金機構を制御する制御手段と、
前記収納庫に補充するための硬貨及び紙幣の少なくとも一方を収納する金庫と、
前記入力手段により前記開始指示が入力されたことに応じて、前記金庫のロックを解除する解錠手段と、
を具備した決済装置。
【請求項５】
硬貨及び紙幣の少なくとも一方を金種別に収納庫に収納させる入金機構と、
前記収納庫に収納された硬貨及び紙幣の少なくとも一方を金種別に前記収納庫から出金する出金機構と、
前記収納庫に収納されている収納枚数を金種毎に判定する判定手段と、
補充又は回収すべき推奨枚数を金種毎に決定する決定手段と、
操作者による操作に応じて開始指示を入力する入力手段と、
前記入力手段により前記開始指示が入力されたことに応じて、前記入金機構を有効化する有効化手段と、
前記入力手段により前記開始指示が入力されたことに応じて、前記決定手段により決定された金種毎の推奨枚数を前記操作者に通知する通知手段と、
前記操作者による操作に応じて金種毎の出金枚数を設定する設定手段と、
前記設定手段により設定された出金枚数が零ではない金種について、当該出金枚数を前記収納庫から出金するように前記出金機構を制御する制御手段と、
前記収納庫に補充するための硬貨及び紙幣の少なくとも一方を収納する金庫を備えた別装置に対して前記金庫のロックの解除を指示するための予め定められた情報を出力する出力手段と、
を具備した決済装置。
【請求項６】
硬貨及び紙幣の少なくとも一方を金種別に収納庫に収納させる入金機構と、
前記収納庫に収納された硬貨及び紙幣の少なくとも一方を金種別に前記収納庫から出金する出金機構と、
前記収納庫に収納されている収納枚数を金種毎に判定する判定手段と、
を備えた金銭収受装置を制御するために当該金銭収受装置に備えられたコンピュータを、
操作者による操作に応じて開始指示を入力する入力手段と、
金種毎に、予め定められた標準枚数と前記判定手段により判定された収納枚数との差に基づいて補充又は回収すべき推奨枚数を決定する決定手段と、
前記入力手段により前記開始指示が入力されたことに応じて、前記入金機構を有効化する有効化手段と、
前記入力手段により前記開始指示が入力されたことに応じて、前記決定手段により決定された金種毎の推奨枚数を前記操作者に通知する通知手段と、
前記操作者による操作に応じて金種毎の出金枚数を設定する設定手段と、
前記設定手段により設定された出金枚数が零ではない金種について、当該出金枚数を前記収納庫から出金するように前記出金機構を制御する制御手段と、
して機能させるための制御プログラム。
【発明の詳細な説明】
【技術分野】
【０００１】
本発明の実施形態は、金銭収受装置、決済装置及び制御プログラムに関する。
【背景技術】
【０００２】
決済装置及び自動釣銭機などで用いられる金銭収受装置においては、収納庫に収納されている貨幣の量の増減に伴い、貨幣の補充又は回収が必要となる。
スーパーマーケットなどのように複数の金銭収受装置を管理する必要がある場合、管理担当者が、これら複数の金銭収受装置のそれぞれで収納されている貨幣の量を、ストアコンピュータを用いて監視している。そして当該管理担当者は、いずれかの金銭収受装置において貨幣の補充又は回収が必要となったならば、該当する金銭収受装置の設置場所まで出向いて、貨幣を補充又は回収する。このため、管理担当者の手間が大きかった。
このような事情から、貨幣の補充又は回収に関わる手間を軽減できることが望まれていた。
【先行技術文献】
【特許文献】
【０００３】
【特許文献１】特開２０１６−１４６０２３号公報
【発明の概要】
【発明が解決しようとする課題】
【０００４】
本発明が解決しようとする課題は、貨幣の補充又は回収に関わる手間を軽減できる金銭収受装置、決済装置及び制御プログラムを提供することである。
【課題を解決するための手段】
【０００５】
実施形態の金銭収受装置は、入金機構、出金機構、判定手段、決定手段、入力手段、有効化手段、通知手段、設定手段及び制御手段を含む。入金機構は、硬貨及び紙幣の少なくとも一方を金種別に収納庫に収納させる。出金機構は、収納庫に収納された硬貨及び紙幣の少なくとも一方を金種別に収納庫から出金する。判定手段は、収納庫に収納されている収納枚数を金種毎に判定する。決定手段は、補充又は回収すべき推奨枚数を金種毎に決定する。入力手段は、操作者による操作に応じて開始指示を入力する。有効化手段は、入力手段により開始指示が入力されたことに応じて、入金機構を有効化する。通知手段は、入力手段により開始指示が入力されたことに応じて、決定手段により決定された金種毎の推奨枚数を操作者に通知する。設定手段は、操作者による操作に応じて金種毎の出金枚数を設定する。制御手段は、設定手段により設定された出金枚数が零ではない金種について、当該出金枚数を収納庫から出金するように出金機構を制御する。
【図面の簡単な説明】
【０００６】
【図１】一実施形態に係るチェックアウトシステム１０の平面図である。
【図２】図１中の決済装置の要部回路構成を示すブロック図。
【図３】図２中の補助記憶ユニットに記憶されるデータテーブルの記述内容を模式的に示した図。
【図４】図２中のＣＰＵによる制御処理のフローチャート。
【図５】図２中のＣＰＵによる制御処理のフローチャート。
【図６】図２中のＣＰＵによる制御処理のフローチャート。
【図７】図２中のＣＰＵによる制御処理のフローチャート。
【図８】確認画面の一例を示す図。
【図９】第１の案内画面の一例を示す図。
【図１０】第２の案内画面の一例を示す図。
【図１１】取出票の一例を示す図。
【発明を実施するための形態】
【０００７】
以下、実施の形態の一例について図面を用いて説明する。なお、本実施の形態では、金銭収受装置を利用した決済装置を含んで構成されたチェックアウトシステムを例に説明する。
【０００８】
図１は本実施形態に係るチェックアウトシステム１０の平面図である。
【０００９】
チェックアウトシステム１０は、少なくとも１台の商品登録装置１１と、少なくとも１台の決済装置１２とを含む。図１においては、２台の商品登録装置１１と４台の決済装置１２とを含んだチェックアウトシステム１０を示している。チェックアウトシステム１０が、商品登録装置１１及び決済装置１２をそれぞれ何台含むかは任意であり、商品登録装置１１と決済装置１２との台数の比も任意である。
商品登録装置１１及び決済装置１２は、例えばスーパーマーケットなどの店舗のチェックアウトコーナーに設置される。
【００１０】
商品登録装置１１は、上記店舗の従業員２１が、その操作者となる。商品登録装置１１を操作する従業員２１は、チェッカと称されることもある。決済装置１２は、上記の店舗で販売する商品を購入する買物客２２が、その操作者となる。ただし、商品登録装置１１の一部の操作が買物客２２により行われる場合もある。また、決済装置１２は、従業員２１により操作される場合もある。
商品登録装置１１は、図１においては、作業テーブル３１に取り付けられている。作業テーブル３１は、矩形の天板を有している。複数の作業テーブル３１が、天板の長手方向がほぼ並行するように配置されることにより、買物客２２用の通路を形成している。
商品登録装置１１は、買上登録、決済情報の生成、ならびに決済情報の決済装置１２への通知の各機能を備える。買上登録は、通路に進入してきた買物客２２が持参した商品を買上商品として登録する処理である。決済情報は、買上商品の決済のための処理に必要となる情報である。
【００１１】
決済装置１２は、商品登録装置１１から決済情報が通知された場合に、当該決済情報に基づく決済処理を行う。なお、決済処理の対象となる決済金額は、商品登録装置１１で計算されて決済情報に含まれていてもよいし、決済情報に基づいて決済装置１２で計算されてもよい。決済装置１２は、決済金額の計算も行う場合には、会計装置とも称される。
【００１２】
図２は決済装置１２の要部回路構成を示すブロック図である。
商品登録装置１１及び決済装置１２は、いずれもＬＡＮ（local area network）１３に接続されている。ＬＡＮ１３は、有線ＬＡＮ又は無線ＬＡＮのいずれであってもよいし、それらが組み合わされたものであってもよい。またＬＡＮ１３に代えて或いは加えて、インターネットなどの別の通信網を用いることもできる。あるいは商品登録装置１１と決済装置１２との間でサーバを介して情報を授受する構成としてもよい。ＬＡＮ１３には、ＰＯＳサーバ等も接続されるが、図示を省略している。
決済装置１２は、ＣＰＵ（central processing unit）１２ａ、ＲＯＭ（read-only memory）１２ｂ、ＲＡＭ（random-access memory）１２ｃ、補助記憶ユニット１２ｄ、スキャナ１２ｅ、タッチパネル１２ｆ、プリンタ１２ｇ、カードリーダライタ１２ｈ、パトランプ１２ｉ、棒金ドロワ１２ｊ、自動釣銭機１２ｋ、通信ユニット１２ｍ及び伝送システム１２ｎを含む。
【００１３】
ＣＰＵ１２ａ、ＲＯＭ１２ｂ、ＲＡＭ１２ｃ及び補助記憶ユニット１２ｄは、伝送システム１２ｎにより接続されて決済装置１２を制御するためのコンピュータを構成する。
ＣＰＵ１２ａは、上記のコンピュータの中枢部分に相当する。ＣＰＵ１２ａは、ＲＯＭ１２ｂ及びＲＡＭ１２ｃに記憶されたオペレーティングシステム、ミドルウェア及びアプリケーションプログラムに基づいて、決済装置１２としての各種の動作を実現するべく各部を制御する。
ＲＯＭ１２ｂは、上記のコンピュータの主記憶部分に相当する。ＲＯＭ１２ｂは、上記のオペレーティングシステムを記憶する。ＲＯＭ１２ｂは、上記のミドルウェアやアプリケーションプログラムを記憶する場合もある。またＲＯＭ１２ｂは、ＣＰＵ１２ａが各種の処理を行う上で参照するデータを記憶する場合もある。
ＲＡＭ１２ｃは、上記のコンピュータの主記憶部分に相当する。ＲＡＭ１２ｃは、ＣＰＵ１２ａが各種の処理を行う上で参照するデータを記憶する。さらにＲＡＭ１２ｃは、ＣＰＵ１２ａが各種の処理を行う上で一時的に使用するデータを記憶しておく、いわゆるワークエリアとして利用される。
補助記憶ユニット１２ｄは、上記のコンピュータの補助記憶部分に相当する。補助記憶ユニット１２ｄは、ＣＰＵ１２ａが各種の処理を行う上で使用するデータ、あるいはＣＰＵ１２ａでの処理によって生成されたデータを保存する。補助記憶ユニット１２ｄとしては、例えばＥＥＰＲＯＭ（electric erasable programmable read-only memory）、ＨＤＤ（hard disk drive）、あるいはＳＳＤ（solid state drive）などを使用できる。
【００１４】
ＲＯＭ１２ｂ又は補助記憶ユニット１２ｄに記憶されるアプリケーションプログラムには、決済装置１２としての各種の動作を実現するべく各部を制御するための制御処理に関して記述した制御プログラムを含む。決済装置１２の譲渡は一般的に、制御プログラムがＲＯＭ１２ｂ又は補助記憶ユニット１２ｄに記憶された状態にて行われる。しかし、決済装置１２は、制御プログラムがＲＯＭ１２ｂ又は補助記憶ユニット１２ｄに記憶されない状態で譲渡され、別途に譲渡された制御プログラムが補助記憶ユニット１２ｄに書き込まれてもよい。ただしこの場合、決済装置１２が譲渡される際には、別バージョンの制御プログラムがＲＯＭ１２ｂ又は補助記憶ユニット１２ｄに記憶されていてもよく、その制御プログラムが別途に譲渡された制御プログラムにより書き替えられてもよい。制御プログラムの譲渡は、磁気ディスク、光磁気ディスク、光ディスク、半導体メモリなどのようなリムーバブルな記録媒体に記録して、あるいはネットワークを介した通信により行える。
【００１５】
スキャナ１２ｅは、商品の情報を光学的に読み取って、当該商品の商品コードを得る。スキャナ１２ｅは、商品コード以外の情報を表したバーコードを読み取って、そのバーコードが表す情報を得ることもできる。スキャナ１２ｅとしては、周知の種々のタイプのものをそのまま利用できる。スキャナ１２ｅは、周知の種々のタイプうちの1つのみに対応していてもよいし、複数のタイプに対応していてもよい。すなわちスキャナ１２ｅは、固定式又はハンディ式の２次元コードスキャナを含み得る。またスキャナ１２ｅとしては、商品の画像から画像認識技術を利用して商品を識別するタイプのものを含み得る。
【００１６】
タッチパネル１２ｆは、表示デバイス及びタッチセンサを含む。表示デバイスは、その画面を、ＧＵＩ画面などの任意の画面とする。表示デバイスとしては、例えばカラーＬＣＤ等の周知のデバイスを利用できる。タッチセンサは、表示デバイスの表示面に重ねて配置されている。タッチセンサは、表示デバイスの表示面への操作者のタッチ位置を検出し、その位置情報をＣＰＵ１２ａへと送る。タッチセンサとしては、周知のデバイスを利用できる。
【００１７】
プリンタ１２ｇは、例えばサーマルプリンタやドットインパクトプリンタなどであり、レシート用紙に対して各種の文字列や画像などを印刷することにより、レシート等の各種の証票を発行する。
【００１８】
カードリーダライタ１２ｈは、カードに記録されたデータを読み取るとともに、上記のカードへデータを書き込む。カードは、クレジットカード、デビットカード、電子マネーカード、プリペイドカードなどの決済用カードの他に、メンバーズカードやポイントカードなどの決済処理に関わる情報を記録する各種のカードを含み得る。カードリーダライタ１２ｈは、磁気式、接触式、あるいは非接触式のいずれのデバイスであってもよいし、また複数種のデバイスを含んでいてもよい。
パトランプ１２ｉは、決済装置１２の動作状態を従業員２１に報知するためのランプである。
【００１９】
棒金ドロワ１２ｊは、多数の硬貨を棒状に束ねてなる棒金を収容する。棒金ドロワ１２ｊは、閉じた状態においては、力を加えても容易には開放しないようにロック状態にある。棒金ドロワ１２ｊは、ＣＰＵ１２ａから送られた開放コマンドを受けると、上記のロックを解除し、開放状態となる。棒金ドロワ１２ｊは、開放状態において、収容している棒金を外部から取り出すことが可能である。棒金ドロワ１２ｊは、全ての決済装置１２に設けられていてもよいし、一部の決済装置１２のみに設けられていてもよい。
【００２０】
自動釣銭機１２ｋは、収納庫１２１、入金機構１２２、出金機構１２３及び制御ユニット１２４を含む。収納庫１２１は、硬貨及び紙幣を金種別に収納する。入金機構１２２は、投入された硬貨及び紙幣を、金種別に収納庫へと送り込む。出金機構１２３は、収納庫に収納された硬貨及び紙幣を、自動釣銭機１２ｋの外部に排出する。自動釣銭機１２ｋから排出された硬貨及び紙幣は、決済装置１２の外部へと排出される。制御ユニット１２４は、入金機構１２２及び出金機構１２３の動作を制御する。そして制御ユニット１２４は、収納庫１２１における硬貨及び紙幣の収納枚数を金種別に管理する。なお、図２における矢印付きの破線は、硬貨及び紙幣の流れを示している。
【００２１】
通信ユニット１２ｍは、ＬＡＮ１３を介した通信を行う。
伝送システム１２ｎは、ＣＰＵ１２ａ、ＲＯＭ１２ｂ、ＲＡＭ１２ｃ、補助記憶ユニット１２ｄ、スキャナ１２ｅ、タッチパネル１２ｆ、プリンタ１２ｇ、カードリーダライタ１２ｈ、パトランプ１２ｉ、棒金ドロワ１２ｊ、自動釣銭機１２ｋ及び通信ユニット１２ｍの間で授受されるデータを伝送する。伝送システム１２ｎは、システムバスなどの各種のバスと、これらのバスと各部とを接続する各種のインタフェース回路とを含む周知のものが利用できる。
なお、決済装置１２のハードウェアとしては、例えば既存のセルフＰＯＳ端末を利用することが可能である。
【００２２】
次に、以上のように構成されたチェックアウトシステム１０の動作について説明する。なお、以下に説明する処理の内容は一例であって、同様な結果を得ることが可能な様々な処理を適宜に利用できる。
【００２３】
チェックアウトシステム１０では、チェックアウトに関わる動作は、既存のセミセルフ方式のチェックアウトシステムと同様に行われる。すなわち、商品登録装置１１にて買上登録と決済情報の生成とが行われる。決済情報は、商品登録装置１１からＬＡＮ１３へと送出され、1つの決済装置１２により受け付けられる。そして決済情報を受け付けた決済装置１２では、決済情報に基づく決済処理が行われる。なお、1つの商品登録装置１１から送出された決済情報は、複数の決済装置１２のうちの一部のみが受け付けることができるとしてもよいし、複数の決済装置１２のうちの全てが受け付けることができるとしてもよい。一例としては、図１中の上方の商品登録装置１１から送出された決済情報は図１中の上方の2つの決済装置１２のいずれかにより受け付けられる。また図１中の下方の商品登録装置１１から送出された決済情報は図１中の下方の2つの決済装置１２のいずれかにより受け付けられる。
【００２４】
さて、決済処理による決済が現金により行われる場合、支払いのために投入される硬貨及び紙幣は、入金機構１２２により収納庫１２１へと入金される。釣銭が生じた場合には、収納庫１２１に収納されていた硬貨及び紙幣が、出金機構１２３により、釣銭として払い出される。この際、収納庫１２１に収容されている硬貨及び紙幣の量が変動する。制御ユニット１２４は、例えば金種毎の収納枚数に金種毎の入金枚数を足し込んだり、金種毎の収納枚数から金種毎の払出枚数を差し引いたりすることにより、現在の収納枚数を金種毎に管理する。なお制御ユニット１２４は、例えば重量センサなどの任意のセンサを利用して現在の収納枚数を管理してもよい。かくして、制御ユニット１２４は、収納庫１２１に収納されている収納枚数を金種毎に判定する判定手段としての機能を備える。ただし、このように制御ユニット１２４が行っている処理を、ＣＰＵ１２ａにて行うことにより、現在の収納枚数をＣＰＵ１２ａが管理してもよい。この場合は、ＣＰＵ１２ａが上記の判定手段としての機能を備えることになる。
【００２５】
このように自動釣銭機１２ｋにより貨幣が収納されたり、払い出されたりした後にＣＰＵ１２ａは、ＲＯＭ１２ｂ又は補助記憶ユニット１２ｄに記憶された制御プログラムに従って以下に説明する制御処理を実行する。
制御処理の説明に先立ち、この制御処理で用いるために予め用意されてＲＯＭ１２ｂ又は補助記憶ユニット１２ｄに記憶されるデータテーブルについて説明する。
【００２６】
図３はデータテーブルＴ１の記述内容を模式的に示した図である。
データテーブルＴ１は、金種番号に関連付けて、基準枚数、上閾値及び下閾値をそれぞれ記述している。
【００２７】
金種番号は、収納庫１２１に収納される硬貨及び紙幣の金種のそれぞれに対して割り振られた番号である。図３の例では、1円硬貨、5円硬貨、10円硬貨、50円硬貨、100円硬貨、500円硬貨、1,000円紙幣、5,000円紙幣及び10,000円紙幣のそれぞれに、「1」〜「9」の番号が割り振られていることとする。
基準枚数は、収納庫１２１に収納しておくべき基準的な枚数を表す数値である。ここでは、金種番号「1」〜「9」のそれぞれに対応する基準枚数をＳＮ(1)〜ＳＮ(9)と表している。
【００２８】
上閾値は、収納庫１２１が満杯に近い状態、いわゆるニアフル状態であることを判定するための閾値である。ここでは、金種番号「1」〜「9」のそれぞれに対応する上閾値をＴＨhigh(1)〜ＴＨhigh(9)と表している。
下閾値は、収納庫１２１が空に近い状態、いわゆるニアエンプティ状態であることを判定するための閾値である。ここでは、金種番号「1」〜「9」のそれぞれに対応する下閾値をＴＨlow(1)〜ＴＨlow(9)と表している。
【００２９】
なお、1つの金種番号に対応する3つの値は、金種番号を「Ｘ」と表す場合、ＴＨlow(X)＜ＳＮ(X)＜ＴＨhigh(X)なる関係にある。また、上閾値は、該当金種の収納庫１２１における収納可能枚数よりも小さい。基準枚数、上閾値及び下閾値は、例えば決済装置１２の設計者又は制御プログラムの作成者などにより任意に定められる。基準枚数、上閾値及び下閾値は、例えば決済装置１２の管理者により任意に定められてもよい。
【００３０】
図４、図５、図６及び図７はＣＰＵ１２ａによる制御処理のフローチャートである。
Ａｃｔ１においてＣＰＵ１２ａは、変数Ｍの値に「1」をセットする。変数Ｍの値は、着目する金種番号を表す。以下においては、金種番号が「Ｍ」である金種を「第Ｍの金種」と称する。
Ａｃｔ２においてＣＰＵ１２ａは、第Ｍの金種についての現在の収納枚数を自動釣銭機１２ｋから取得し、それを変数Ｎに代入する。つまり変数Ｎの値は、第Ｍの金種についての現在の収納枚数を表すこととなる。
【００３１】
Ａｃｔ３においてＣＰＵ１２ａは、変数Ｎが下閾値ＴＨlow(M)未満であるか否かを確認する。そしてＣＰＵ１２ａは、その関係が成り立つためにＹｅｓと判定したならば、Ａｃｔ４へと進む。
Ａｃｔ４においてＣＰＵ１２ａは、第Ｍの金種を補充対象に設定する。つまりＣＰＵ１２ａは、現在の収納枚数が下閾値ＴＨlow(M)未満まで減少しているならば、第Ｍの金種が、補充が必要な金種として設定する。
Ａｃｔ５においてＣＰＵ１２ａは、第Ｍの金種についての補充すべき枚数ＡＮ(M)を決定する。ＣＰＵ１２ａは例えば、基準枚数ＳＮ(M)から変数Ｎの値を減じた値として補充枚数ＡＮ(M)を決定する。この場合、補充枚数ＡＮ(M)は、第Ｍの金種についての収納枚数を基準枚数ＳＮ(M)とするために補充すべき枚数として決定される。あるいはＣＰＵ１２ａは、基準枚数ＳＮ(M)から下閾値ＴＨlow(M)を減じた値又はそれに近い値として予め定められた一定値を補充枚数ＡＮ(M)として決定する。この場合、Ａｃｔ３でＹｅｓと判定されるときには変数Ｎの値は下閾値ＴＨlow(M)に近い値である場合が多いことから、補充枚数ＡＮ(M)は、基準枚数ＳＮ(M)から変数Ｎの値を減じた値に近い値として決定される可能性が高い。ただし、補充枚数ＡＮ(M)を具体的にどのような値として決定するのかは、制御プログラムの作成者などによって任意に定められてよい。
【００３２】
一方、ＣＰＵ１２ａは、変数Ｎの値が下閾値ＴＨlow(M)以上であるならばＡｃｔ３にてＮｏと判定し、Ａｃｔ６へと進む。
Ａｃｔ６においてＣＰＵ１２ａは、変数Ｎが上閾値ＴＨhigh(M)以上であるか否かを確認する。そしてＣＰＵ１２ａは、その関係が成り立つためにＹｅｓと判定したならば、Ａｃｔ７へと進む。
Ａｃｔ７においてＣＰＵ１２ａは、第Ｍの金種を回収対象に設定する。つまりＣＰＵ１２ａは、現在の収納枚数が上閾値ＴＨhigh(M)以上まで増加しているならば、第Ｍの金種が、回収が必要な金種として設定する。
Ａｃｔ８においてＣＰＵ１２ａは、第Ｍの金種についての回収すべき枚数ＣＮ(M)を決定する。ＣＰＵ１２ａは例えば、変数Ｎの値から基準枚数ＳＮ(M)を減じた値として回収枚数ＣＮ(M)を決定する。この場合、回収枚数ＣＮ(M)は、第Ｍの金種についての収納枚数を基準枚数ＳＮ(M)とするために回収すべき枚数として決定される。あるいはＣＰＵ１２ａは、上閾値ＴＨhigh(M)から基準枚数ＳＮ(M)からを減じた値又はそれに近い値として予め定められた一定値を回収枚数ＣＮ(M)として決定する。この場合、Ａｃｔ６でＹｅｓと判定されるときには変数Ｎの値は上閾値ＴＨhigh(M)に近い値であることが多いことから、回収枚数ＣＮ(M)は、変数Ｎの値から基準枚数ＳＮ(M)を減じた値に近い値として決定される可能性が高い。ただし、回収枚数ＣＮ(M)を具体的にどのような値として決定するのかは、制御プログラムの作成者などによって任意に定められてよい。
【００３３】
後述するように、ここで決定された補充枚数ＡＮ(M)又は回収枚数ＣＮ(M)の硬貨又は貨幣が補充又は回収されるとは限らず、ここで決定された補充枚数ＡＮ(M)又は回収枚数ＣＮ(M)は実際に補充又は回収される枚数を表す訳ではない。いわば、ここで決定された補充枚数ＡＮ(M)又は回収枚数ＣＮ(M)は、補充又は回収する推奨枚数である。かくして制御プログラムに基づく制御処理をＣＰＵ１２ａが実行することによって、ＣＰＵ１２ａを中枢部分とするコンピュータは、補充又は回収すべき推奨枚数を金種毎に決定する決定手段として機能する。
【００３４】
ＣＰＵ１２ａは、Ａｃｔ５又はＡｃｔ８を終えた場合、あるいは変数Ｎが上閾値ＴＨhigh(M)未満であるためにＡｃｔ６にてＮｏと判定した場合、Ａｃｔ９へと進む。
Ａｃｔ９においてＣＰＵ１２ａは、変数Ｍの値が金種番号の最大値Ｍmax以上であるか否かを確認する。そしてＣＰＵ１２ａは、変数Ｍの値が最大値Ｍmax未満であるためにＮｏと判定したならば、Ａｃｔ１０へと進む。なお、図３に示すデータテーブルＴ１が設定されている場合、最大値Ｍmaxは「9」である。
Ａｃｔ１０においてＣＰＵ１２ａは、変数Ｍの値を１つ増加させる。そしてＣＰＵ１２ａはこののち、Ａｃｔ２以降の処理を繰り返す。かくしてＣＰＵ１２ａは、全ての金種を対象として、Ａｃｔ２〜Ａｃｔ８の処理をそれぞれ実行する。そして当該処理を全ての金種について実行し終えたとき、変数Ｍの値は最大値Ｍmaxである。このためＣＰＵ１２ａは、Ａｃｔ９にてＹｅｓと判定することになり、Ａｃｔ１２へと進む。
【００３５】
Ａｃｔ１１においてＣＰＵ１２ａは、補充対象又は回収対象として設定された金種が少なくとも1つあるか否かを確認する。そしてＣＰＵ１２ａは、全ての金種が補充対象及び回収対象のいずれにも設定されなかったならばＮｏと判定し、当該制御処理を終了する。
ＣＰＵ１２ａはしかしながら、いずれか1つの金種でも補充対象又は回収対象として設定されたならば、Ａｃｔ１１にてＹｅｓと判定し、Ａｃｔ１２へと進む。
【００３６】
Ａｃｔ１２においてＣＰＵ１２ａは、ニアエンプティ又はニアフルの状態であることを周囲の従業員２１に通報するための警報動作を開始する。この警報動作は、例えばパトランプ１２ｉの点灯である。警報動作は、図示しない発音ユニットによる警報音の出力であってもよい。また、複数の動作を警報動作として行ってもよい。かくして制御プログラムに基づく制御処理をＣＰＵ１２ａが実行することによって、ＣＰＵ１２ａを中枢部分とするコンピュータとパトランプ１２ｉ等のデバイスとの協働により、通報手段としての機能が実現される。
Ａｃｔ１３においてＣＰＵ１２ａは、管理者権限のある従業員２１による操作（以下、管理者操作と称する）が開始されるのを待ち受ける。ＣＰＵ１２ａは、例えば物理的な鍵を用いた解錠操作、あるいはパスワード入力などによる電子的な解錠操作等の予め定められた操作が正しく行われた場合に、Ａｃｔ１３にてＹｅｓと判定し、Ａｃｔ１４へと進む。
Ａｃｔ１４においてＣＰＵ１２ａは、補充又は回収を開始するか否かを確認するための確認画面をタッチパネル１２ｆに表示させる。
【００３７】
図８は確認画面ＳＣ１の一例を示す図である。
確認画面ＳＣ１は、文字メッセージＭ１１及びボタンＢ１１，Ｂ１２を表す。
文字メッセージＭ１１は、補充又は回収が必要であることと、それを開始するか否かの指示を従業員２１に促すメッセージを文字により表したものである。ボタンＢ１１は、補充又は回収を開始する場合に従業員２１が押すべきものである。ボタンＢ１２は、補充又は回収以外の処理を開始する場合に従業員２１が押すべきものである。
【００３８】
ＣＰＵ１２ａは、この確認画面ＳＣ１をタッチパネル１２ｆに表示させた状態で図５のＡｃｔ２１へと進む。
Ａｃｔ２１においてＣＰＵ１２ａは、何らかの操作が行われるのを待ち受ける。そして、操作が行われたならばＹｅｓと判定し、Ａｃｔ２２へと進む。
Ａｃｔ２２においてＣＰＵ１２ａは、上記の行われた操作がボタンＢ１１へのタッチであったか否かを確認する。そしてＣＰＵ１２ａは、ボタンＢ１１へのタッチ以外の操作が行われたのであるならば、Ｎｏと判定し、その操作に応じた処理に移行する。この場合の処理については、本実施形態における特徴的な処理ではないので、その説明は省略する。ＣＰＵ１２ａはこれに対して、ボタンＢ１１にタッチされたならば、Ａｃｔ２２にてＹｅｓと判定し、Ａｃｔ２３へと進む。かくして制御プログラムに基づく制御処理をＣＰＵ１２ａが実行することによって、ＣＰＵ１２ａを中枢部分とするコンピュータは、操作者によるボタンＢ１１の操作に応じて開始指示を入力する入力手段として機能する。
【００３９】
Ａｃｔ２３においてＣＰＵ１２ａは、棒金ドロワが登録されているか否かを確認する。ここで決済装置１２においては、その動作条件の１つとして、棒金ドロワを利用するか否か及び利用する棒金ドロワを登録できるものとする。具体的には例えばＣＰＵ１２ａは、図示しない設定処理のなかで、棒金ドロワを利用するか否かの指定を受け付け、棒金ドロワを利用する場合にはどの棒金ドロワを利用するかの指定をさらに受け付ける。そしてＣＰＵ１２ａは、利用する棒金ドロワが指定された場合には、その棒金ドロワを搭載している決済装置１２の識別コードを補助記憶ユニット１２ｄに書き込むことにより、当該棒金ドロワを登録する。棒金ドロワを利用するか否かの指定及びどの棒金ドロワを利用するかの指定は、例えば決済装置１２の管理者により任意に行われてよい。なお、棒金ドロワ１２ｊを備える決済装置１２においては、その棒金ドロワ１２ｊを利用することとし、棒金ドロワ１２ｊを備えない決済装置１２においては、別の決済装置１２に備えられた棒金ドロワ１２ｊを利用することが想定される。この場合は、棒金ドロワ１２ｊを備える決済装置１２においては、当該決済装置１２の識別コードが、利用する棒金ドロワを識別するための情報として補助記憶ユニット１２ｄに記憶されることになる。また棒金ドロワ１２ｊを備えない決済装置１２においては、別の決済装置１２の識別コードが、利用する棒金ドロワを識別するための情報として補助記憶ユニット１２ｄに記憶されることになる。ＣＰＵ１２ａは、いずれかの決済装置１２の識別コードが、利用する棒金ドロワを識別するための情報として補助記憶ユニット１２ｄに記憶されているならば、Ａｃｔ２３においてＹｅｓと判定し、Ａｃｔ２４へと進む。
Ａｃｔ２４においてＣＰＵ１２ａは、第１の案内画面をタッチパネル１２ｆに表示させる。
【００４０】
図９は第１の案内画面ＳＣ２の一例を示す図である。
第１の案内画面ＳＣ２は、リストＬ１，Ｌ２、ボタンＢ２１，Ｂ２２，Ｂ２３，Ｂ２４を含む。
リストＬ１は、補充対象として設定された金種に関して、現時点における収納庫１２１での収納枚数と、その金種に関してＡｃｔ５で決定した補充枚数と、その補充枚数を補充するために用意すべき棒金の本数とを表している。リストＬ２は、回収対象として設定された金種に関して、現時点における収納庫１２１での収納枚数と、その金種に関してＡｃｔ８で決定した回収枚数とを表している。
ボタンＢ２１は、従業員２１が、棒金ドロワから棒金を取り出そうとする場合にタッチするためのボタンである。ボタンＢ２２は、従業員２１が、収納庫１２１に収納されている余剰な貨幣を回収しようとする場合にタッチするためのボタンである。ボタンＢ２３は、従業員２１が、ボタンＢ２１を押下した際に払い出される貨幣の枚数を変更したい場合にタッチするためのボタンである。ボタンＢ２４は、従業員２１が、貨幣の補充・回収を取り止めたい場合にタッチするためのボタンである。
【００４１】
一方、ＣＰＵ１２ａは、利用する棒金ドロワを識別するための情報としていずれの決済装置１２の識別コードも補助記憶ユニット１２ｄに記憶されていないならば、Ａｃｔ２３にてＮｏと判定し、Ａｃｔ２５へと進む。
Ａｃｔ２５においてＣＰＵ１２ａは、第２の案内画面をタッチパネル１２ｆに表示させる。
【００４２】
図１０は第２の案内画面ＳＣ３の一例を示す図である。
第２の案内画面ＳＣ３は、リストＬ１，Ｌ２、Ｂ２２，Ｂ２３，Ｂ２４を含む。
つまり第２の案内画面ＳＣ３は、第１の案内画面ＳＣ２からボタンＢ２１を省いた画面である。ただし、第２の案内画面ＳＣ３は、ボタンＢ２１をグレーアウト表示などとして無効化した状態で含んでもよい。
【００４３】
以上のように第１の案内画面ＳＣ２又は第２の案内画面ＳＣ３は、補充又は回収すべき金種毎の推奨枚数である補充枚数ＡＮ(M)及び回収枚数ＣＨ(M)を、リストＬ１，Ｌ２として決済装置１２の操作者となっている従業員２１に通知するものである。かくして制御プログラムに基づく制御処理をＣＰＵ１２ａが実行することによって、ＣＰＵ１２ａを中枢部分とするコンピュータは、金種毎の推奨枚数を操作者に通知する通知手段として機能する。
【００４４】
ＣＰＵ１２ａは、以上の第１の案内画面ＳＣ２又は第２の案内画面ＳＣ３がタッチパネル１２ｆにより表示された状態で、Ａｃｔ２６へと進む。
Ａｃｔ２６においてＣＰＵ１２ａは、入金機構１２２を起動する。これにより、入金機構１２２が有効化され、補充のための入金が可能な状態となる。かくして制御プログラムに基づく制御処理をＣＰＵ１２ａが実行することによって、ＣＰＵ１２ａを中枢部分とするコンピュータは入金機構を有効化する有効化手段として機能する。なお、入金機構１２２へと硬貨又は紙幣を投入するための投入口にシャッタを備えておき、このシャッタを開くことによって入金機構１２２を有効化してもよい。
【００４５】
この後、従業員２１が、補充のために硬貨又は紙幣を自動釣銭機１２ｋへと投入すれば、当該硬貨又は紙幣は、入金機構１２２により収納庫１２１に収納される。このときに従業員２１が硬貨又は紙幣の投入枚数を、第１の案内画面ＳＣ２又は第２の案内画面ＳＣ３に表されたリストＬ１に「補充枚数」として示された枚数と同数とすれば、補充後の収納庫１２１の収納枚数を基準枚数と同数とすることができる。ただし、補充後の収納枚数を基準枚数と一致させることは必須ではなく、従業員２１は投入枚数を任意に決定してよい。
【００４６】
Ａｃｔ２７においてＣＰＵ１２ａは、従業員２１による何らかの操作が行われたか否かを確認する。そしてＣＰＵ１２ａは、何らの操作も行われていないならばＮｏと判定し、Ａｃｔ２８へと進む。
Ａｃｔ２８においてＣＰＵ１２ａは、自動釣銭機１２ｋへの入金が行われたか否かを確認する。そしてＣＰＵ１２ａは、入金が行われていないならばＮｏと判定し、Ａｃｔ２７へと戻る。
かくしてＣＰＵ１２ａはＡｃｔ２７及びＡｃｔ２８においては、操作又は入金が行われるのを待ち受ける。そして従業員２１による何らかの操作が行われたならばＡｃｔ２７にてＹｅｓと判定し、Ａｃｔ２９へと進む。
【００４７】
Ａｃｔ２９においてＣＰＵ１２ａは、上記の行われた操作がボタンＢ２１へのタッチであったか否かを確認する。そしてＣＰＵ１２ａは、ボタンＢ２１がタッチされたのであるならばＹｅｓと判定し、図６中のＡｃｔ４１へと進む。なお、ＣＰＵ１２ａは、補充枚数ＡＮ(1)〜ＡＮ(Ｎmax)がいずれも「0」である場合には、Ａｃｔ２９にてＹｅｓと判定しないようにしてもよい。
【００４８】
Ａｃｔ４１においてＣＰＵ１２ａは、登録されている棒金ドロワが別の決済装置１２に搭載されたものであるか否かを確認する。そして、ＣＰＵ１２ａは、自らが搭載されている決済装置１２の識別コードが、利用する棒金ドロワを識別するための情報として補助記憶ユニット１２ｄに記憶されているならばＮｏと判定し、Ａｃｔ４２へと進む。
Ａｃｔ４２においてＣＰＵ１２ａは、棒金ドロワ１２ｊに対して開放を指示する。この指示を受けて棒金ドロワ１２ｊは、開放状態となり、収容している棒金を従業員２１が取り出すことを可能とする。これにより従業員２１は、収納庫１２１に補充するための硬貨を棒金ドロワ１２ｊから得ることができる。かくして棒金ドロワ１２ｊは、収納庫１２１に補充するための硬貨を収納する金庫である。また制御プログラムに基づく制御処理をＣＰＵ１２ａが実行することによって、ＣＰＵ１２ａを中枢部分とするコンピュータは、上記の金庫のロックを解除する解錠手段として機能する。
【００４９】
一方でＣＰＵ１２ａは、別の決済装置１２の識別コードが、利用する棒金ドロワを識別するための情報として補助記憶ユニット１２ｄに記憶されているならば、Ａｃｔ４１にてＹｅｓと判定し、Ａｃｔ４３へと進む。
Ａｃｔ４３においてＣＰＵ１２ａは、プリンタ１２ｇを制御して取出票を発行する。
【００５０】
図１１は取出票ＳＨ１の一例を示す図である。
ＣＰＵ１２ａは具体的には、図１１に示されるような画像を生成し、これをプリンタ１２ｇに与えてレシート用紙にプリントさせることにより、取出票ＳＨ１を発行する。
【００５１】
取出票ＳＨ１は、表示Ｉ１，Ｉ２、リストＬ１及びバーコードＣ１を含む。
表示Ｉ１は、取出票ＳＨ１に基づいて取り出した棒金により補充を行う対象となる決済装置１２を従業員２１が識別するための装置番号を表す。表示Ｉ２は、取出票ＳＨ１に基づいて棒金を取り出すべき棒金ドロワ１２ｊが搭載されている決済装置１２を従業員２１が識別するための装置番号を表す。リストＬ１は、第１の案内画面ＳＣ２又は第２の案内画面ＳＣ３に含まれていたのと同じリストである。バーコードＣ１は、表示Ｉ２に表された装置番号で識別される決済装置１２に対して、その決済装置１２に搭載されている棒金ドロワ１２ｊの開放を指示するための予め定められた制御情報を含む。つまり決済装置１２は、当該制御情報を、取出票ＳＨ１の発行により出力している。かくして制御プログラムに基づく制御処理をＣＰＵ１２ａが実行することによって、ＣＰＵ１２ａを中枢部分とするコンピュータとプリンタ１２ｇとの協働により出力手段としての機能が実現される。
【００５２】
従業員２１は、発行された取出票ＳＨ１に含まれたバーコードＣ１を、表示Ｉ２に示された装置番号で識別される決済装置１２のスキャナ１２ｅに読み取らせる。そうすると当該決済装置１２のＣＰＵ１２ａは、バーコードＣ１に示された制御情報に従って棒金ドロワ１２ｊを開放する。これにより従業員２１は、ある決済装置１２の収納庫１２１に補充するための硬貨を、別の決済装置１２に設けられた棒金ドロワ１２ｊから得ることができる。
なお、タッチパネル１２ｆが第２の案内画面ＳＣ３を表示している場合、ボタンＢ２１がタッチされることはなく、図６のＡｃｔ４２又はＡｃｔ４３が行われることはない。
ＣＰＵ１２ａは、Ａｃｔ４２又はＡｃｔ４３を終えると、図５中のＡｃｔ２７に戻る。
【００５３】
さて、ＣＰＵ１２ａは、図５中のＡｃｔ２７にてＹｅｓと判定するきっかけとなった操作がボタンＢ２１へのタッチではないならば、Ａｃｔ２９にてＮｏと判定し、Ａｃｔ３０へと進む。
Ａｃｔ３０においてＣＰＵ１２ａは、図５中のＡｃｔ２７にてＹｅｓと判定するきっかけとなった操作がボタンＢ２３へのタッチであったか否かを確認する。そしてＣＰＵ１２ａは、ボタンＢ２３がタッチされたのであるならばＹｅｓと判定し、Ａｃｔ３１へと進む。
Ａｃｔ３１においてＣＰＵ１２ａは、図４中のＡｃｔ８にて設定済みの回収枚数を、従業員２１によるタッチパネル１２ｆ等での操作に応じて変更する。なおＣＰＵ１２ａは、Ａｃｔ８にて設定されなかった回収枚数については「0」とし、その値についても変更してもよい。そしてＣＰＵ１２ａはこののち、Ａｃｔ２７に戻る。
【００５４】
さて、ＣＰＵ１２ａは、Ａｃｔ２７にてＹｅｓと判定するきっかけとなった操作がボタンＢ２３へのタッチではないならば、Ａｃｔ３０にてＮｏと判定し、Ａｃｔ３２へと進む。
Ａｃｔ３２においてＣＰＵ１２ａは、Ａｃｔ２７にてＹｅｓと判定するきっかけとなった操作がボタンＢ２２へのタッチであったか否かを確認する。そしてＣＰＵ１２ａは、ボタンＢ２２がタッチされたのではないならばＮｏと判定し、操作に応じた他の処理に移行する。この場合の処理については、本実施形態における特徴的な処理ではないので、その説明は省略する。ＣＰＵ１２ａはこれに対して、ボタンＢ２２がタッチされたならば、Ａｃｔ３２にてＹｅｓと判定し、Ａｃｔ３３へと進む。
【００５５】
Ａｃｔ３３においてＣＰＵ１２ａは、硬貨及び紙幣を各金種についてＣＮ(1)枚〜ＣＮ(Ｎmax)枚ずつ払い出すように自動釣銭機１２ｋに指示する。この指示を受けると自動釣銭機１２ｋでは、出金機構１２３が制御ユニット１２４の制御の下に、硬貨及び紙幣を収納庫１２１から払い出す。つまりＣＰＵ１２ａは、ボタンＢ２３が一度もタッチされることなしにボタンＢ２２がタッチされた場合には、Ａｃｔ８で決定された回収枚数ＣＮ(M)をそのまま出金機構１２３により出金する枚数として決定する。またＣＰＵ１２ａは、ボタンＢ２３がタッチされたことに応じてＡｃｔ３１を実行した場合には、Ａｃｔ３１で変更した後の回収枚数ＣＮ(M)を出金機構１２３により出金する枚数として決定する。かくして制御プログラムに基づく制御処理をＣＰＵ１２ａが実行することによって、ＣＰＵ１２ａを中枢部分とするコンピュータは、操作者による操作に応じて金種毎の出金枚数を設定する設定手段として機能する。また制御プログラムに基づく制御処理をＣＰＵ１２ａが実行することによって、ＣＰＵ１２ａを中枢部分とするコンピュータは、上記の出金枚数を収納庫１２１から出金するように出金機構１２３を制御する制御手段として機能する。
【００５６】
こののちにＣＰＵ１２ａは、図７中のＡｃｔ５１へと進む。なおＣＰＵ１２ａは、Ａｃｔ２７及びＡｃｔ２８の待ち受け状態にあるときに、入金機構１２２による入金がなされたならば、Ａｃｔ２８にてＹｅｓと判定し、図７中のＡｃｔ５１へと進む。
【００５７】
Ａｃｔ５１においてＣＰＵ１２ａは、変数Ｍの値に「1」をセットする。
Ａｃｔ５２においてＣＰＵ１２ａは、第Ｍの金種についての現在の収納枚数を自動釣銭機１２ｋから取得し、それを変数Ｎに代入する。
【００５８】
Ａｃｔ５３においてＣＰＵ１２ａは、変数Ｎが下閾値ＴＨlow(M)未満であるか否かを確認する。なおＣＰＵ１２ａは、ここでの確認には、下閾値ＴＨlow(M)よりも大きな値として予め定められた別の閾値を用いてもよい。そしてＣＰＵ１２ａは、その関係が成り立たたないためにＮｏと判定したならば、Ａｃｔ５４へと進む。
Ａｃｔ５４においてＣＰＵ１２ａは、変数Ｎが上閾値ＴＨhigh(M)以上であるか否かを確認する。なおＣＰＵ１２ａは、ここでの確認には、上閾値ＴＨhigh(M)よりも小さな値として予め定められた別の閾値を用いてもよい。そしてＣＰＵ１２ａは、その関係が成り立たないためにＮｏと判定したならば、Ａｃｔ５５へと進む。
Ａｃｔ５５においてＣＰＵ１２ａは、変数Ｍの値が金種番号の最大値Ｍmax以上であるか否かを確認する。そしてＣＰＵ１２ａは、変数Ｍの値が最大値Ｍmax未満であるためにＮｏと判定したならば、Ａｃｔ５６へと進む。
Ａｃｔ５６においてＣＰＵ１２ａは、変数Ｍの値を１つ増加させる。そしてＣＰＵ１２ａはこののち、Ａｃｔ５２以降の処理を繰り返す。
かくして、全ての金種について、収納庫１２１に収納されている枚数がその金種に対して定められた下閾値以上で、かつ上閾値未満である範囲内にある場合のみ、ＣＰＵ１２ａがＡｃｔ５５へと進んだときの変数Ｍの値が最大値Ｍmax以上となる。そしてＣＰＵ１２ａはこの場合、Ａｃｔ５５にてＹｅｓと判定し、Ａｃｔ５７へと進む。
【００５９】
Ａｃｔ５７においてＣＰＵ１２ａは、警報動作を停止する。なおＣＰＵ１２ａは、Ａｃｔ１２においては複数種類の警報動作を開始し、Ａｃｔ５７に至る途中で一部の警報動作を停止し、Ａｃｔ５７においては継続している警報動作を停止してもよい。具体的には、ＣＰＵ１２ａは、Ａｃｔ１２においては例えばパトランプ１２ｉの点滅及び警報音の鳴動を警報動作として開始する。ＣＰＵ１２ａは、Ａｃｔ１３にてＹｅｓと判定したことに応じて、警報音の鳴動を停止する。そしてＣＰＵ１２ａは、Ａｃｔ５７においては、パトランプ１２ｉの点滅を停止させる。ＣＰＵ１２ａは、Ａｃｔ５７にて警報動作を停止し終えたならば、図４〜図７に示す制御処理を終了する。
【００６０】
なおＣＰＵ１２ａは、１つの金種でも、収納庫１２１に収納されている枚数がその金種に対して定められた下閾値以上で、かつ上閾値未満である範囲の外にあるならば、Ａｃｔ５３又はＡｃｔ５４にてＹｅｓと判定する。そしてこの場合にＣＰＵ１２ａは、上述した処理を図４中のＡｃｔ１から再度実行する。
【００６１】
以上のように決済装置１２によれば、ニアエンプティ又はニアフルの状態である場合には、確認画面ＳＣ１におけるボタンＢ１１の操作による開始指示を受け付けられる。そして当該開始指示を受けて、第１の案内画面ＳＣ２又は第２の案内画面ＳＣ３により、補充又は回収すべき金種毎の推奨枚数が従業員２１に対して通知される。これにより、決済装置１２に関して、硬貨又は紙幣の補充又は回収を行う必要があるか否か、ならびにどの程度の枚数を補充又は回収すべきであるかを、当該決済装置１２にて、その近くに居る任意の従業員２１が確認することができる。そして必要ならば、その従業員２１が、その場で即座に貨幣の補充又は回収のための作業を行うことができる。かくして、ストアコンピュータを用いて監視している管理担当者が決済装置１２の設置場所まで出向いて貨幣を補充又は回収する場合に比べて、貨幣の補充又は回収に関わる手間を軽減できる。
【００６２】
また決済装置１２によればさらに、ニアエンプティ又はニアフルの状態にあることが、警報動作によって従業員２１に対して通報される。このため、貨幣の補充又は回収が必要である決済装置１２の近くに居る従業員２１に対して、速やかな対応を促すことができる。
【００６３】
また決済装置１２によればさらに、ＣＰＵ１２ａが前述した具体例のようにして補充枚数ＡＮ(M)を決定するならば、第Ｍの金種について当該回収枚数ＡＮ(M)を入金すれば、第Ｍの金種についての収納枚数は基準枚数ＳＮ(M)に近づく可能性が高い。従って、従業員２１は、第Ｍの金種についての収納枚数を基準枚数ＳＮ(M)に近づけるように調整したいならば、リストＬ１に示された補充枚数を入金すればよい。
【００６４】
また決済装置１２によればさらに、ＣＰＵ１２ａが前述した具体例のようにして回収枚数ＣＮ(M)を決定するならば、第Ｍの金種について当該回収枚数ＣＮ(M)を払い出せば、第Ｍの金種についての収納枚数は基準枚数ＳＮ(M)に近づく可能性が高い。従って、回収枚数ＣＮ(M)を変更する操作が行われることなくボタンＢ２２へのタッチにより払い出しが指示された場合には、ニアフルの状態にある金種についての収納庫１２１の収納枚数は、多くの場合はその金種に応じた基準枚数に近い枚数とされる。従って、従業員２１は、単純にボタンＢ２２にタッチするのみで、ニアフルの状態にある金種についての収納枚数を基準枚数に近い枚数とするように調整できる。
【００６５】
また決済装置１２によればさらに、回収枚数ＣＮ(M)が変更された上で、ボタンＢ２２へのタッチにより払い出しが指示された場合には、ニアフルの状態にある金種は、従業員２１が希望する枚数が払い出されて、収納枚数が減らされる。これにより、払い出し後の収納枚数を従業員２１が任意に調整できる。
【００６６】
また決済装置１２によればさらに、棒金ドロワ１２ｊを備えていて、当該棒金ドロワ１２ｊが利用登録されているならば、当該棒金ドロワ１２ｊがボタンＢ２１へのタッチに応じて開放される。従って従業員２１は、決済装置１２に補充するための硬貨を、当該決済装置１２にて容易に取得することができる。
【００６７】
また決済装置１２によればさらに、別の決済装置１２に設けられた棒金ドロワ１２ｊが利用登録されているならば、当該棒金ドロワ１２ｊを開放するための取出票ＳＨ１がボタンＢ２１へのタッチに応じて発行される。そして、当該取出票ＳＨ１に表されたバーコードＣ１が適切な決済装置１２のスキャナ１２ｅで読み取られたならば、その決済装置１２に設けられた棒金ドロワ１２ｊが開放される。従って従業員２１は、例えば補充対象の決済装置１２に補充するための硬貨を、当該決済装置１２の近くに設置されている別の決済装置１２に設けられた棒金ドロワ１２ｊから容易に取得することができる。
【００６８】
この実施形態は、次のような種々の変形実施が可能である。
上記の実施形態では、自動釣銭機１２ｋを内蔵した決済装置１２について説明しているが、自動釣銭機が決済装置から独立して構成されて、当該自動釣銭機が決済装置に外付けされる形態で実施することも可能である。この場合、図４〜図７に示す制御処理は、制御ユニット１２４で行ってもよいし、決済装置に備えられたＣＰＵで行ってもよい。
【００６９】
収納庫を備え、当該収納庫に対して入金機構及び出金機構により金銭の入出金を行う金銭収受装置であれば、例えばセルフチェックアウト装置、自動販売機、両替機などの上記実施形態とは別の形態の装置としても実施が可能である。
【００７０】
収納庫１２１、入金機構１２２及び出金機構１２３は、硬貨及び紙幣のいずれか一方のみを入出金し、収納するものに代えてもよい。
【００７１】
棒金ドロワ１２ｊは、ＣＰＵ１２ａからの指示に応じて開放状態となるのではなく、従業員２１によって開放可能なようにロックを解除するのみでもよい。
【００７２】
棒金ドロワ１２ｊに代えて、あるいは加えて、紙幣を保管する金庫を備えてもよい。また、棒金ドロワ１２ｊに代えて、硬貨及び紙幣を保管する金庫を備えてもよい。
【００７３】
取出票ＳＨ１を発行するのに代えて、取出票ＳＨ１に表される画像を表示させるための情報をタブレット端末やスマートフォンなどの従業員２１が携帯する情報端末に送信してもよい。この場合に従業員２１は、情報端末にて表示されたバーコードをスキャナ１２ｅに読み取らせる。
【００７４】
警報動作は、別の任意のタイミングで停止してもよい。例えばＣＰＵ１２ａは、図５中のＡｃｔ２１にてＹｅｓと判定した場合に、全ての警報動作を停止させてもよい。
【００７５】
ＣＰＵ１２ａは、警報動作をタブレット端末やスマートフォンなどの従業員２１が携帯する情報端末で行わせるように、そのための制御情報を予め定められた情報端末へと送信してもよい。
【００７６】
決済装置１２にて決済する対象は、商品の売買に関わる代金には限らず、サービス提供の対価など、他のどのような対象についての決済を行う場合でも、上記実施形態と同様に実施が可能である。
【００７７】
制御処理によりＣＰＵ１２ａが実現する各機能は、その一部又は全てをロジック回路などのようなプログラムに基づかない情報処理を実行するハードウェアにより実現することも可能である。また上記の各機能のそれぞれは、上記のロジック回路などのハードウェアにソフトウェア制御を組み合わせて実現することも可能である。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
１０…チェックアウトシステム、１１…商品登録装置、１２…決済装置、１２ａ…ＣＰＵ、１２ｂ…ＲＯＭ、１２ｃ…ＲＡＭ、１２ｄ…補助記憶ユニット、１２ｅ…スキャナ、１２ｆ…タッチパネル、１２ｇ…プリンタ、１２ｈ…カードリーダライタ、１２ｉ…パトランプ、１２ｊ…棒金ドロワ、１２ｋ…自動釣銭機、１２ｍ…通信ユニット、１２ｎ…伝送システム、１２１…収納庫、１２２…入金機構、１２３…出金機構、１２４…制御ユニット。
【図１】
2018081579.tif 000003
【図２】
2018081579.tif 000004
【図３】
2018081579.tif 000005
【図４】
2018081579.tif 000006
【図５】
2018081579.tif 000007
【図６】
2018081579.tif 000008
【図７】
2018081579.tif 000009
【図８】
2018081579.tif 000010
【図９】
2018081579.tif 000011
【図１０】
2018081579.tif 000012
【図１１】
2018081579.tif 000013